(57)【要約】【課題】  本発明は、低電力でアンテナ反射板全体にわたり融雪効果が期待でき、しかも安価なパラボナアンテナ用融雪装置を提供することにある。【解決手段】  複数の発熱部１，２と、同軸分離器３と、温度スイッチ４と、間欠スイッチ５とを備えており、発熱部１，２は、アンテナ反射板６裏面に取り付けてあり、同軸分離器３は、電源７からＬＮＢ８と各発熱部１，２に送る電力を分配し、温度スイッチ４は、外気温が２℃以下となったときにＯＮ／ＯＦＦの切り替えをし、間欠スイッチ５は、アンテナ反射板６裏面に取り付けられた一方の発熱部１と他方の発熱部２に対して交互にＯＮ／ＯＦＦの切り替えをすることを特徴とする。【選択図】      図１
2010199868.tif 000002
【特許請求の範囲】
【請求項１】
複数の発熱部と、同軸分離器と、温度スイッチと、間欠スイッチとを備えており、
発熱部は、アンテナ反射板裏面に取り付けてあり、
同軸分離器は、電源からＬＮＢと各発熱部に供給する電力を分配し、
温度スイッチは、外気温が２℃以下となったときにＯＮ／ＯＦＦの切り替えし、
間欠スイッチは、アンテナ反射板裏面に取り付けられた一方の発熱部と他方の発熱部に対して交互にＯＮ／ＯＦＦの切り替えをすることを特徴とするパラボラアンテナ用融雪装置。
【請求項２】
アンテナ反射板裏面に発熱部を取り付けたときに、一方の発熱部の外周側に他方の発熱部が配置されることを特徴とする請求項１記載のパラボラアンテナ用融雪装置。
【発明の詳細な説明】
【技術分野】
【０００１】
本発明は、衛生電波を受信するためのパラボラアンテナ用の融雪装置に関するものである。
【背景技術】
【０００２】
一般にパラボラアンテナは、衛星電波を受けるための皿型のアンテナ反射板を有し、このアンテナ反射板で反射させて受信した番組放送データをテレビなどの受信端末に送って視聴者が視聴するものである。ところが積雪の多い地域では、アンテナ反射板に雪が付着したり、あるいは、アンテナ反射板に付着した水滴が凍って表面に不規則な凹凸の氷の層を作ることで、ＬＮＢ（衛星通信ダウンコンバータ）に収束される電波の位相が遅れて受信レベルの低下を引き起こすものであった。これにより、受信端末側ではモニターの映像にノイズが生じて視聴しづらくなり、家主が屋外に出てアンテナ反射板に付着した雪や氷を取り除かなければならない不都合があった。
【先行技術文献】
【特許文献】
【０００３】
特開平０８−１２５４１６号公報
特開２０００−２９５０１５号公報
【発明の概要】
【発明が解決しようとする課題】
【０００４】
そこで、上記のような不都合を解消するため、アンテナ反射板に熱線を内蔵したものや、あるいは、アンテナ反射板の表面（受信面）や裏面側に熱線入りのヒーターを貼り付けるようなものがあった。ところが、アンテナ反射板に熱線を内蔵したものは、融雪性能は確保できるものの製造コストが嵩んで大変高価になり、しかも、破損や故障時には取り外して製造元に修理を依頼しなければならないため、普及に至っていない。一方、熱線を這わせたヒーターを貼り付けるものの場合には、ＬＮＢへの供給電力のみではアンテナ反射板の全体をヒーターでカバーできず、このことから、期待した融雪効果が得られず、受信端末における視聴状態の改善を安定的に図れない不都合があった。
本発明は、上記課題を鑑みてなされたものであり、低電力でアンテナ反射板全体にわたり融雪効果が期待でき、しかも、安価なパラボラアンテナ用融雪装置を提供することにある。
【課題を解決するための手段】
【０００５】
本発明のうち請求項１記載の発明は、複数の発熱部と、同軸分離器と、温度スイッチと、間欠スイッチとを備えており、発熱部は、アンテナ反射板裏面に取り付けてあり、同軸分離器は、電源からＬＮＢと各発熱部に供給する電力を分配し、温度スイッチは、外気温が２℃以下となったときにＯＮ／ＯＦＦの切り替えをし、間欠スイッチは、アンテナ反射板裏面に取り付けられた一方の発熱部と他方の発熱部に対して交互にＯＮ／ＯＦＦの切り替えをすることを特徴とする。
【０００６】
本発明の請求項２記載の発明では、アンテナ反射板裏面に発熱部を取り付けたときに、一方の発熱部の外周側に他方の発熱部が配置されることを特徴とする。
【発明の効果】
【０００７】
本発明のうち請求項１記載の発明によれば、アンテナ反射板裏面の複数箇所に発熱部を取り付け、さらに、各発熱部への電力供給を交互にＯＮ／ＯＦＦする間欠スイッチを有することにより、外気温が２℃以下まで下がり温度スイッチがＯＮとなって間欠スイッチの一方の発熱部が発熱する。このことから、他方の発熱部がＯＦＦの状態にあっても余熱があるため、アンテナ反射板全体が暖められた状態となることから、別途専用の電源を増設する必要がなく、ＬＮＢに供給している放送受信用の電源のみで確実にアンテナ反射板の表面（受信面）側全体の融雪が可能となる。したがって、降雪時であっても受信端末では支障なく視聴できることになり、低電力且つ長期的に使用できるパラボラアンテナ用融雪装置を提供できる。
【０００８】
本発明のうち請求項２記載の発明によれば、発熱部をアンテナ反射板裏面における内周部と外周部にそれぞれ取り付けてあることで、内周側と外周側の発熱を交互に切り替えて行うことで一層効率的な融雪効果が期待できる。
【図面の簡単な説明】
【０００９】
【図１】本実施によるパラボラアンテナ用融雪装置の使用状態を示す説明図である。
【図２】本実施によるパラボラアンテナ用融雪装置を示す平面図である。
【図３】本実施による間欠スイッチの回路図である。
【図４】本実施によるパラボラアンテナ融雪装置の有無によるアンテナ反射板における比較図である。
【図５】（ａ）（ｂ）は、本実施によるパラボラアンテナ用融雪装置の融雪性能を示すグラフと表である。
【発明を実施するための形態】
【００１０】
以下に、図面に基づいて本実施によるパラボラアンテナ用融雪装置の実施の形態を説明する。また、本実施によるパラボラアンテナ用融雪装置は具体的に、パラボラアンテナのアンテナ反射板６裏面に貼り付けた状態について説明するものである。
本実施によるパラボラアンテナ用融雪装置は、図１および図２のように、パラボラアンテナのアンテナ反射板６の裏面側に、一面側が粘着層であり他面側が撥水性と断熱性を有する縦長ほぼリング状をなす断熱素材で形成された取付シート９と、取付シート９の粘着層側にリング状に配置される内側発熱部１（一方の発熱部）と、内側発熱部１の外周に配置される同じく縦長ほぼリング状をなす外側発熱部２（他方の発熱部）と、内外の各発熱部１，２に電力供給をするためのケーブル１１とからなっている。また、内側発熱部１と外側発熱部２の電源７は、上記ケーブル１１を同軸分離器３に接続し、その同軸分離器３から分離した電圧により内外の各発熱部１，２の発熱がなされるものである。また、同軸分離器２には、ＬＮＢ８に対しても通電されており、さらに、同軸分離器５には温度スイッチ４と間欠スイッチ５が内蔵されている（図３参照）。尚、図１中符号１４はチューナーである。
【００１１】
本実施による内側発熱部１と外側発熱部２は、図２のように、取付シート９の粘着層に熱線１ａ，２ａを這わせるものであり、具体的に、１枚の取付シート９の内周側と外周側にそれぞれ熱線を這わせ、取付シート９の全体に亘って均一に発熱されるように構成してある。また、熱線の両端はケーブル１１と接続してあり、このケーブル１１を介して電源７から電力供給される。
尚、図２中の符号１３は、アンテナ反射板６を支える支持バーである。
【００１２】
間欠スイッチ５は、図３のように、上記した内側発熱部１と外側発熱部２における所定時間周期でのＯＮ／ＯＦＦの切り替えを制御するものである。そして、外気温が下がって温度スイッチ４が「入」となったとき、コンデンサ１２が連動して間欠スイッチ５におけるＯＮ／ＯＦＦ切換制御に応じ、内側発熱部１と外側発熱部２のうちの一方の発熱部１の発熱時間と他方の発熱部２の発熱停止時間がそれぞれ設定される。また、「外側発熱部（内側発熱部）の発熱時間」の設定を変更したい場合には、コンデンサ１２の容量と電圧を適宜調整することで自在に設定できる。
【００１３】
このように形成した本実施によるパラボラアンテナ用融雪装置の性能について、図４と図５（ａ）（ｂ）に基づいて説明する。
まず、本実施によるアンテナ融雪装置の起動後、最初の１０秒間でアンテナ反射板６裏面に取り付けてある外側発熱部２が発熱する。そして、間欠スイッチ５における切り替えにより外側発熱部２に対する通電をＯＦＦとし、内側発熱部１に１０秒間通電することで、内側発熱部１の発熱と外側発熱部２の余熱によりアンテナ反射板６が暖められる。この内側発熱部１と外側発熱部２とを交互に発熱させることを温度スイッチ４が「入」の状態の間に繰り返すことで、アンテナ反射板６全体を発熱するのとほぼ同等の効果が得られる。したがって、ＬＮＢ８と同等の消費電力でアンテナ反射板６の融雪がなされるため、低電力使用が可能となる。上記のような交互に作動を繰り返すことで、図４のように、本実施によるパラボナアンテナ融雪装置を取り付けていないもの、つまりは、図中の上側に示すアンテナ反射板（アンテナ融雪装置を取り付けていないもの）では、雪が数ｃｍ積もった状態にあるが、図中の下側に示す本実施によるパラボラアンテナ用融雪装置を取り付けたものでは、表面（受信面）側に雪や氷の付着がない状態となる。このときに、図５（ａ）（ｂ）のように、本実施によるパラボラアンテナ用融雪装置を取り付けてあるアンテナ反射板６の表面（受信面）側の温度は約８℃を計測しており、測定当日の外気温よりも１０℃ほど高いことから、アンテナ反射板６表面に付着した雪の接触部分を溶かすことによって、アンテナ反射板６表面の氷結防止はもちろん、付着した雪がアンテナ反射板６表面から滑落しやすい状態となることが推測される。
【００１４】
本実施によるパラボラアンテナ用融雪装置は、上記した実施形態の他、発熱部１，２や取付シート９の形状や配置パターン、配置する数やアンテナ反射板６に対する大きさについては特に限定するものではなく、アンテナ反射板６裏面側に均等に配されるものであればよい。また、取付シート９の素材については、アンテナ反射板６裏面に取り付けたときの外側面（反粘着面側）が断熱性や撥水性、防水性を有するものを適用したり、あるいは、ウレタンなどの断熱材の露出面に防水・撥水塗料によるコーティングが施されているものなどが使用される。
【符号の説明】
【００１５】
１  内側発熱部（一方の発熱部）
２  外側発熱部（他方の発熱部）
３  同軸分離器
４  温度スイッチ
５  間欠スイッチ
６  アンテナ反射板
７  電源
８  ＬＮＢ
【図１】
2010199868.tif 000003
【図２】
2010199868.tif 000004
【図３】
2010199868.tif 000005
【図４】
2010199868.tif 000006
【図５】
2010199868.tif 000007